(57)【要約】【課題】記憶媒体で発生する熱を外装ケース内で効果的に拡散できるようにする。【解決手段】記憶媒体が装着可能な撮像装置１である。撮像装置１は、金属製の外郭部７１を有し、記憶媒体が収容可能な記憶媒体収容部７０と、アースと接続された状態で外郭部７１に接触する金属製のアース部材５０とを備える。アース部材５０が、外装ケース１０の内部に配置されている金属部材３３，６０と接続されることにより、記憶媒体収容部７０の熱を拡散させる放熱構造を構成している。【選択図】図３
2018010183.tif 000002
【特許請求の範囲】
【請求項１】
記憶媒体が装着可能な撮像装置であって、
金属製の外郭部を有し、前記記憶媒体が収容可能な状態で外装ケースの内部に配置された記憶媒体収容部と、
アースと接続された状態で前記外郭部に接触する金属製のアース部材と、
を備え、
前記アース部材が、前記外装ケースの内部に配置されている金属部材と接続されることにより、前記記憶媒体収容部の熱を拡散させる放熱構造を構成している撮像装置。
【請求項２】
請求項１に記載の撮像装置において、
前記記憶媒体収容部は、前記アースが設けられている基板に前記外郭部を取り付けることによって形成されており、前記基板に固定される前記アース部材を介して前記外郭部が前記アースと接続されている撮像装置。
【請求項３】
請求項１又は請求項２に記載の撮像装置において、
前記外装ケースの内部に、金属製の隔壁を有するバッテリー収容部を更に備え、
前記隔壁が前記アース部材と接触することにより、前記放熱構造を構成している撮像装置。
【請求項４】
請求項３に記載の撮像装置において、
前記アース部材が、前記外郭部と前記隔壁との間に挟み込まれてこれらに圧接している撮像装置。
【請求項５】
請求項３又は請求項４に記載の撮像装置において、
前記バッテリー収容部は、樹脂製の収容部本体に、前記隔壁を固定することによって形成され、
前記収容部本体の周囲に配置された金属製の組付部材が、前記アース部材に接触した前記隔壁と接続されることにより、前記放熱構造を構成している撮像装置。
【請求項６】
請求項５に記載の撮像装置において、
前記組付部材の一部が、前記収容部本体における前記隔壁との対向部位の側に位置している撮像装置。
【請求項７】
記憶媒体が装着可能な撮像装置であって、
金属製の外郭部を有し、前記記憶媒体が収容可能な状態で外装ケースの内部に配置された記憶媒体収容部と、
前記外郭部と対向する金属製の隔壁を有し、前記外装ケースの内部に配置されたバッテリー収容部と、
を備え、
前記外郭部と前記隔壁との間に、アースと接続された金属製の部材が挟み込まれてこれらに圧接している撮像装置。
【発明の詳細な説明】
【技術分野】
【０００１】
本発明は、メモリーカード等の記憶媒体が装着可能な撮像装置に関する。
【背景技術】
【０００２】
近年、撮影される静止画や動画の画質が高精度化しており、それに伴って画像データの処理量が急増している。メモリーカード等の記憶媒体の性能も向上し、多量のデータが短時間で入出力できるようになってきている。
【０００３】
そのような状況の下、デジタルカメラ等の撮像装置でも、高精度な画質に対応して高速でデータの入出力ができるように、高性能な記憶媒体を装着可能にすることが求められている。
【０００４】
ところが、記憶媒体へのデータの入出力処理時には、通電に伴って熱が発生するため、多量のデータを高速で処理すればするほど、その発熱量は増加する。通常、撮像装置の内部には、精密部品が密集した状態で組み込まれているため、撮像装置に、そのような高性能な記憶媒体を装着し、高速で多量のデータの入出力処理を行うと、記憶媒体で発生する熱が、これら精密部品に悪影響を及ぼすおそれがある。
【０００５】
この問題に対し、記憶媒体で発生する熱の放熱を促進させる工夫が、特許文献１，２に提案されている。
【０００６】
特許文献１には、メモリーカードを収容する収容ユニットの内部に、カム機構を介して移動可能に設置された板状の第１熱伝達部材と、収容ユニットの開口を塞ぐカバーの裏面に設置された第２熱伝達部材と、ケース背面に固定された第３熱伝達部材と、で構成された放熱構造が開示されている。
【０００７】
メモリーカードを収容ユニットに収容してカバーを閉じ操作することで、第１熱伝達部材が移動してメモリーカードの表面に接触する。それとともに、第２熱伝達部材が第１熱伝達部材及び第３熱伝達部材に接触する。それにより、メモリーカードから第１熱伝達部材、第２熱伝達部材、第３熱伝達部材を介してケース背面へと熱を伝達する放熱構造を形成している。
【０００８】
特許文献２には、収容ユニットの開口を塞ぐカバーの裏面に設置された第１熱伝達部材と、ケース側面に固定された第２熱伝達部材と、で構成された放熱構造が開示されている。
【０００９】
メモリーカードを収容ユニットに収容してカバーを閉じ操作することで、第１熱伝達部材がメモリーカードの端面と第２熱伝達部材とに接触する。それにより、メモリーカードから第１熱伝達部材、第２熱伝達部材を介してケース背面へと熱を伝達する放熱構造を形成している。
【先行技術文献】
【特許文献】
【００１０】
【特許文献１】特開２０１２−９６１４号公報
【特許文献２】特開２０１２−２３１３１号公報
【発明の概要】
【発明が解決しようとする課題】
【００１１】
特許文献１の放熱構造は、メモリーカードの面積の大きな表面を通じて放熱できるため、放熱効果に優れるものの、構造が複雑で、製造コストや操作性、耐久性等の面で不利がある。
【００１２】
特許文献２の放熱構造は、特許文献１の放熱構造に比べると構造が簡単ではあるものの、放熱が、面積が僅かなメモリーカードの端面を通じて行われるため、熱伝達効率が悪く、充分な放熱効果を得るのは難しい。
【００１３】
特に、撮像装置の外装に樹脂製のケースが用いられている場合には、ケースの熱伝達率が悪いため、ケースに熱を伝えても外部に放熱し難く、ケース内に熱が籠もり易い。しかも、ケース内には精密部品が密集しているため、記憶媒体の周囲が局所的に温度上昇し易くなっており、その近くの精密部品が高温に曝されるおそれがある。
【００１４】
そこで本発明の目的は、簡単な構造でありながら、記憶媒体で発生する熱を効果的に放熱させることができ、記憶媒体の周辺での局所的な温度上昇も抑制できる撮像装置を提供することにある。
【課題を解決するための手段】
【００１５】
本発明は、記憶媒体が装着可能な撮像装置に関する。前記撮像装置は、金属製の外郭部を有し、前記記憶媒体が収容可能な状態で外装ケースの内部に配置された記憶媒体収容部と、アースと接続された状態で前記外郭部に接触する金属製のアース部材と、を備える。そして、前記アース部材が、前記外装ケースの内部に配置されている金属部材と接続されることにより、前記記憶媒体収容部の熱を拡散させる放熱構造を構成している。
【００１６】
すなわち、この撮像装置によれば、金属製の外郭部を有する記憶媒体収容部が外装ケースの内部に配置されており、その外郭部のアースを確保するために、アースと接続された状態の金属製のアース部材が外郭部に接触している。金属製の外郭部及びアース部材は、電気だけでなく熱の伝達率も優れるため、外郭部に接触しているアース部材を、記憶媒体収容部に収容される記憶媒体から発生する熱を伝達させる熱伝達部材としても利用できる。
【００１７】
そして、外装ケースの内部には、熱伝達率に優れる様々な金属部材が配置されていることから、これらはアース部材を介して伝達される熱を放熱させる放熱部材としても利用できる。そこで、この撮像装置では、アース部材を、そのような金属部材と伝熱可能な状態で接続し、記憶媒体収容部の熱を拡散させる放熱構造を構成している。
【００１８】
そうすることにより、既存の部材を利用した簡単な構造でありながら、記憶媒体で発生する熱を効果的に放熱させることができる。金属部材を通じて外装ケースの内部の様々な場所に熱を拡散させることができるので、記憶媒体の周辺での局所的な温度上昇も抑制できる。従って、高性能な記憶媒体であっても安定して使用することができる。
【００１９】
具体的には、前記記憶媒体収容部は、前記アースが設けられている基板に前記外郭部を取り付けることによって形成されており、前記基板に固定される前記アース部材を介して前記外郭部が前記アースと接続されているようにするとよい。
【００２０】
そうすれば、同じ基板に位置する外郭部とアースとが、その基板に固定されるアース部材で接続されるので、外郭部のアースを確実性をもって確保することができる。必要最小限の部材でコンパクトなアースが実現できるため、複雑な構造を要しない。
【００２１】
より具体的には、前記外装ケースの内部に、金属製の隔壁を有するバッテリー収容部を更に備え、前記隔壁が前記アース部材と接触することにより、前記放熱構造を構成するとよい。
【００２２】
バッテリー収容部は、外装ケースの内部に収容されている部材の中でも特に容量の大きな部材であるため、そのバッテリー収容部を構成している金属製の隔壁を利用すれば、限られた外装ケースの内部に、別部材を設けることなく、充分に大きな面積を有する放熱部材を確保することができる。従って、簡単な構造でありながら、記憶媒体で発生する熱を効果的に放熱させることができる。面積の大きな隔壁を通じて熱を放熱させることができるので、広い範囲に熱を拡散させることができる。従って、記憶媒体の周辺での局所的な温度上昇も抑制できる。
【００２３】
その場合、前記アース部材が、前記外郭部と前記隔壁との間に挟み込まれてこれらに圧接しているようにするとよい。
【００２４】
そうすれば、外郭部と隔壁とが密接してより熱を伝わり易くできる。そして、記憶媒体収容部とバッテリー収容部とがほぼ密着した状態となり、その間のスペースを無くすことができる。その結果、そのスペースの分だけ、バッテリー収容部に収容できるバッテリーを大きくすることが可能になり、カメラの連続使用時間の延長が図れる。
【００２５】
更に、前記バッテリー収容部が、樹脂製の収容部本体に、前記隔壁を固定することによって形成されている場合には、前記収容部本体の周囲に配置された金属製の組付部材が、前記アース部材に接触した前記隔壁と接続されることにより、前記放熱構造を構成しているようにするのが好ましい。
【００２６】
そのような場合、面積の大きな隔壁であっても、樹脂製の収容部本体には熱が伝わり難いため、充分な熱の拡散効果が得られないおそれがある。それに対し、収容部本体の周囲に配置されている金属製の組付部材を、アース部材に接触した隔壁と伝熱可能な状態で接続すれば、更に放熱構造の放熱面積が拡大し、より広い範囲に熱を拡散させることができる。
【００２７】
特にその場合、前記組付部材の一部が、前記収容部本体における前記隔壁との対向部位の側に位置しているようにするとよい。
【００２８】
そうすれば、外装ケースの内部のうち、発熱源が少なくて相対的に温度が低い傾向のある隔壁との対向部位の側に熱を拡散させることができ、外装ケースの内部での局所的な温度上昇をよりいっそう抑制できる。
【００２９】
本発明の撮像装置はまた、金属製の外郭部を有し、前記記憶媒体が収容可能な状態で外装ケースの内部に配置された記憶媒体収容部と、前記外郭部と対向する金属製の隔壁を有し、前記外装ケースの内部に配置されたバッテリー収容部と、を備え、前記外郭部と前記隔壁との間に、アースと接続された金属製の部材が挟み込まれてこれらに圧接している撮像装置と表現することもできる。
【発明の効果】
【００３０】
本発明の撮像装置によれば、簡単な構造で、記憶媒体で発生する熱を効果的に放熱させることができ、しかも記憶媒体の周辺での局所的な温度上昇も抑制できるので、高性能な記憶媒体であっても安定して使用することができる。
【図面の簡単な説明】
【００３１】
【図１】本実施形態のカメラを示す概略斜視図である。
【図２】カメラ本体の主な構成部材を示す分解斜視図である。
【図３】別角度から見たカメラ本体の主な構成部材を示す分解斜視図である。
【図４】カメラ本体の主な構成部材を示す概略斜視図である。
【図５】制御基板の右端部の前面を示す概略斜視図である。
【図６】アース部材を示す概略斜視図である。
【図７】制御基板に固定された状態のアース部材を示す概略斜視図である。
【図８】図４の矢印Ｉ−Ｉ線における概略断面図である。
【発明を実施するための形態】
【００３２】
以下、本発明の実施形態を図面に基づいて詳細に説明する。ただし、以下の説明は、本質的に例示に過ぎず、本発明、その適用物あるいはその用途を制限するものではない。説明で用いる上下左右、前後等の方向は、特に言及しない限り、図に示す矢印に従うものとする。
【００３３】
図１に、本発明を適用したミラーレス一眼デジタルカメラ１（撮像装置の一例、単にカメラ１ともいう）を簡略化したものを示す。このカメラ１は、大略、撮像レンズ３と、横長で前後の厚みの薄い矩形箱状のカメラ本体２と、で構成されている。カメラ本体２の右側は、前側が曲面状に膨出したグリップ部２ａとなっており、その上部に、シャッターボタン２ｂが配置されている。
【００３４】
撮像レンズ３は、カメラ本体２の前面に配置されたレンズマウント６に装着され、撮影条件に応じて交換できるようになっている。このカメラ１では、撮像レンズ３の脱着機構に公知のバヨネット方式が採用されている。従って、各々の中心線Ｊを前後方向に一致させた状態で、撮像レンズ３をレンズマウント６の載置面６ａに載置し、その状態で撮像レンズ３を所定方向に回動させることで、撮像レンズ３をカメラ本体２に簡単に取り付けることができる。
【００３５】
撮像レンズ３を取り外すには、レンズ取り外しボタン４を押すことで、レンズマウント６から突出して撮像レンズ３の回動を規制していたロックピン５が後退して、撮像レンズ３が回動できるようになるので、レンズ取り外しボタン４を押しながら取り付け時とは逆の方向に撮像レンズ３を回動させる。そうすることで、撮像レンズ３をカメラ本体２から簡単に取り外すことができる。
【００３６】
図２，図３に示すように、カメラ本体２は、レンズマウント６、バヨネットスプリング７、デックリング８、プロテクタ９、外装ケース１０、撮像ユニット２０、バッテリーユニット３０、制御基板４０、アース部材５０、グリップ取付金具６０（組付部材の一例）などで構成されている。なお、組付部材は、外装ケース１０の内部に組み付けられる部材を意味する。
【００３７】
外装ケース１０は、カメラ本体２の外郭を構成する部材（筐体）である。このカメラ１では、樹脂を用いた射出成形により、外装ケース１０が成形されている。外装ケース１０を樹脂製とすることで、カメラ本体２の軽量化及び低コスト化が図られている。外装ケース１０に用いられる樹脂としては、例えばＰＣ樹脂、ＡＢＳ樹脂、ＡＳＡ樹脂などが挙げられる。
【００３８】
外装ケース１０は、カメラ本体２の前面を覆う前部ケース１１や、カメラ本体２の上部を覆う上部ケース、カメラ本体２の後部を覆う後部ケースなどで構成されており、図２や図３では、便宜上、前部ケース１１のみを表示している。前部ケース１１は、カメラ本体２の前面を構成する前壁部１１ａに、別部材のグリップ部２ａを取り付けることによって形成されている（その詳細は後述）。前壁部１１ａには、大径のレンズ開口部１２が形成されている。
【００３９】
撮像ユニット２０は、ＣＭＯＳイメージセンサーなどの撮像素子２１や、撮像レンズ３と撮像素子２１との間の光路を遮断又は解放するシャッター（不図示）、そのシャッターを駆動制御するレンズシャッター部２２など、撮像処理に関連する主要な部品を有している。これら部品が、例えばアルミダイキャストや金属枠などで構成された高剛性のシャーシ２３に組み付けられて一体化されることにより、撮像ユニット２０が構成されている。
【００４０】
撮像ユニット２０は、シャーシ２３の支持壁２３ａを前方に向けた状態で、前壁部１１ａの裏面に固定されることにより、外装ケース１０の左側の部分に収容されている。シャーシ２３の支持壁２３ａには、撮像素子２１を露出させる窓部が形成されており、その窓部の周囲を囲むように円環状のマウント固定部が設けられている（不図示）。
【００４１】
このマウント固定部に、前方から順に、レンズマウント６、バヨネットスプリング７、デックリング８、及びプロテクタ９が、積み重なるように固定されている。レンズマウント６は、レンズ開口部１２を通じて前壁部１１ａの外側に突出して位置するように設定されている。撮像素子２１は、充分なフランジバック（レンズマウント６の載置面６ａから撮像素子２１の前面までの距離）を確保するために、撮像ユニット２０の後側に配置されている。
【００４２】
撮像素子２１は、撮像処理時等に発熱する。そのため、撮像ユニット２０の後部（外装ケース１０の後部の内部左側）は高温になり易い。
【００４３】
撮像ユニット２０の右側に隣接して外装ケース１０に収容されるように、バッテリーユニット３０が、前壁部１１ａに組み付けられている。バッテリーユニット３０は、外装ケース１０を左右に二分した右側部分の大半を占めており、角形バッテリー（充電可能ないわゆる二次電池）を収容する大容量のバッテリー収容部３０ａを有している。バッテリーユニット３０は、電気配線によって撮像ユニット２０や制御基板４０と接続されており、バッテリーの電流は、その電気配線を介して撮像ユニット２０や制御基板４０に設置された各部品や回路に供給される。
【００４４】
バッテリー収容部３０ａは、バッテリーを収容する直方体状の空間（バッテリー収容空間３１）を形成する、樹脂製の収容部本体３２と金属製の隔壁３３とを有している。具体的には、収容部本体３２は、前部ケース１１のグリップ部２ａに近接して対向配置される矩形の主壁部３２ａと、主壁部３２ａの左右の両側縁から後方に対向して張り出す一対の側壁部３２ｂ，３２ｂと、主壁部３２ａ及び両側壁部３２ｂの上縁に連なって両側壁部３２ｂ，３２ｂの間を塞ぐ上端壁部３２ｃと、上端壁部３２ｃと上下方向に対向し、主壁部３２ａ及び両側壁部３２ｂ，３２ｂの下縁に連なる下端壁部３２ｄとを有している。
【００４５】
下端壁部３２ｄには、バッテリーが出し入れされる横長なバッテリー入出口３４が形成されている。図示しないが、外装ケース１０の下部には、揺動操作することによってバッテリー入出口３４を開閉するカバーが設けられており、普段のバッテリー入出口３４はそのカバーによって閉止されている。
【００４６】
前後の厚みが小さい外装ケース１０に収容するために、各側壁部３２ｂは、主壁部３２ａよりも小面積の縦長な矩形形状に形成され、上端壁部３２ｃ及び下端壁部３２ｄは、主壁部３２ａよりも小面積の横長な矩形形状に形成されている。主壁部３２ａ、各側壁部３２ｂ、上端壁部３２ｃ、及び下端壁部３２ｄは、いずれも外装ケース１０と同様に樹脂で形成されている。これらは一体に成形されていてもよいし、複数の部材を組み合わせて形成されていてもよい。
【００４７】
収容部本体３２は、箱形状に形成されているので、樹脂であっても構造的に強度が確保でき、軽量化及び低コスト化が図れる。
【００４８】
隔壁３３は、ステンレス鋼等の肉薄な金属板からなり、主壁部３２ａと略同じ面積からなる矩形の主壁対向部３３ａと、主壁対向部３３ａの一方の側縁から断面Ｌ状に屈曲して張り出した矩形の側壁被覆部３３ｂとを有している。隔壁３３は、主壁対向部３３ａが主壁部３２ａと前後に対向し、側壁被覆部３３ｂが右側の側壁部３２ｂに被さった状態で、収容部本体３２の後側に固定されている。それにより、バッテリー収容空間３１の後側は、隔壁３３によって塞がれた状態になっている。
【００４９】
バッテリー収容空間３１の後側を塞ぐ部材に、金属板の隔壁３３を採用したことで、バッテリー収容部３０ａの全体を樹脂で形成した場合に比べて、バッテリー収容空間３１の前後幅は大きくなっている。それにより、前後の厚みの小さい外装ケース１０の内部に、大容量のバッテリーが収容可能となり、カメラ１の連続使用時間の延長が図られている。
【００５０】
グリップ取付金具６０は、バッテリーユニット３０の右側（カメラ本体２の右端部）に近接して配置されている。グリップ取付金具６０は、ステンレス鋼等の肉薄な金属板のプレス加工品であり、右側の側壁部３２ｂ及び側壁被覆部３３ｂと対向して配置される放熱壁部６０ａと、主壁部３２ａの側に位置し、主壁部３２ａに沿って配置される取付壁部６０ｂとを有し、これらが一体に形成されている。グリップ部２ａは、樹脂の成型品であり、グリップ取付金具６０の取付壁部６０ｂを介して、前壁部１１ａないし収容部本体３２に取り付けられている。
【００５１】
制御基板４０は、撮像素子２１に近接する左上部に切り欠き部位を有する横長な矩形板状の樹脂製部材である。図４にも示すように、制御基板４０は、撮像ユニット２０及びバッテリーユニット３０の各後部と近接して対向した状態で、バッテリーユニット３０等に固定されている。それにより、制御基板４０は、外装ケース１０の内部の後側に収容され、撮像ユニット２０と協働して、カメラ操作に応じた撮像処理や、撮影された画像データの入出力処理など、カメラ１における制御を包括的に実行する（メイン基板）。
【００５２】
制御基板４０の前面４０ａには、これら各種制御を実行するＤＳＰなどの多数の電子部品や電子回路が配設されている（図示せず）。特に、隔壁３３と対向して配置される、制御基板４０の前面４０ａの右端部には、図５に示すように、ＳＤカード等のメモリーカード（板状の不揮発性記憶媒体）を収容する記憶媒体収容部７０が設置されている。記憶媒体収容部７０の両側（制御基板４０の右端両隅部）には、ＵＳＢやＨＤＭＩ（登録商標）等、周知の規格の接続プラグ４１が設置されている。
【００５３】
記憶媒体収容部７０は、横断面が横長な門型形状をした金属板のプレス加工品からなる外郭部７１を有している。記憶媒体収容部７０は、この外郭部７１が制御基板４０の前面４０ａに取り付けられることによって形成されている。それにより、記憶媒体収容部７０の内部には、メモリーカードを収容する矩形板状の記憶媒体収容空間が形成されている。記憶媒体収容空間の奥方には、メモリーカードを収容することでメモリーカードの各端子と接続される接続部７０ａが設置されている。
【００５４】
各接続プラグ４１も、記憶媒体収容部７０と同様に、金属製の外郭部４１ａが制御基板４０の前面４０ａに取り付けられることによって形成されている。記憶媒体収容部７０のスロット７０ｂは、各接続プラグ４１のスロット４１ｂと共に、制御基板４０の右側の縁に沿って配置されている。
【００５５】
図示しないが、外装ケース１０の右側部には、これらスロット７０ｂ，４１ｂへのアクセスを可能にする開閉可能なアクセス部が形成されており、このアクセス部を通じて、メモリーカードの脱着や、各接続プラグ４１と外部ケーブルとの接続が行えるようになっている。
【００５６】
制御基板４０の前面４０ａにおける記憶媒体収容部７０の両側（上下方向）には、基準電位点を構成しているアース端子４２が配設されている。制御基板４０におけるこれらアース端子４２，４２の各設置部位には、板面とアース端子４２とを貫通した挿通孔４３と、板面のみを貫通した挿通孔４３とが形成されている。このカメラ１では、記憶媒体収容部７０や各接続プラグ４１のアースを確保するために、これらアース端子４２，４２と各外郭部４１ａ，７１とを接続するアース部材５０が備えられている。
【００５７】
（アース部材５０）
図６に、アース部材５０を示す。アース部材５０は、ステンレス鋼などからなる金属板のプレス加工品であり、基部５１、収容部用弾性片５２、端子用弾性片５３、一対のフランジ片５４，５４などで一体に構成されている。基部５１は、記憶媒体収容部７０の横幅よりも長い帯板形状に形成されている。収容部用弾性片５２は、基部５１の各長辺に１つずつ設けられている。これら収容部用弾性片５２，５２の各々は、互いに異なる短辺側に偏って配置されている。
【００５８】
端子用弾性片５３は、２つ有り、基部５１の一方の長辺の両端部に離れて配置されている。これら収容部用弾性片５２，５２及び端子用弾性片５３，５３の各々は、基部５１の長辺から直交する方向に張り出すとともに、基部５１の板面（後向きに配置される面：後面）から同じ後側に僅かに屈曲しており、その先端側は基部５１の後面から板厚方向の後側に離れて位置している。
【００５９】
フランジ片５４，５４は、基部５１の各端部に１つずつ設けられている。各フランジ片５４は、基部５１から収容部用弾性片５２等の屈曲方向にＬ状に折り曲げて形成された脚部５４ａと、脚部５４ａの先端から互いに逆向きにＬ状に折り曲げて形成された鍔部５４ｂとを有している。一方のフランジ片５４の鍔部５４ｂにはビス止め用のビス孔５５のみが形成され、他方のフランジ片５４の鍔部５４ｂにはビス孔５５と位置決め用のピン孔５６とが形成されている。
【００６０】
図３に示すように、バッテリーユニット３０における隔壁３３の有る後部の上端部及び下端部の各々には、フランジ片５４，５４が取り付けられる一対の鍔止部３５，３５が設けられている。各鍔止部３５には、ビス止め用の締結孔３６を有する座部と位置決め用のピン３７とが形成されている。制御基板４０の、アース端子４２を貫通した各挿通孔４３は、各フランジ片５４の鍔部５４ｂのビス孔５５、及び各鍔止部３５の締結孔３６の位置に対応して形成されている。
【００６１】
アース部材５０は、基部５１の後面側を制御基板４０に向けた状態で、記憶媒体収容部７０が設置されている、制御基板４０の右端部の前面４０ａと、隔壁３３との間に配置される。詳しくは、アース部材５０は、ピン３７をピン孔５６に差し込んだ状態でビス孔５５と締結孔３６とが一致するように鍔止部３５に一方のフランジ片５４の鍔部５４ｂが重ねられ、かつ、ビス孔５５と締結孔３６とが一致するように鍔止部３５に他方のフランジ片５４の鍔部５４ｂが重ねられる。
【００６２】
そうして重なり合った各ビス孔５５及び各締結孔３６に、挿通孔４３の各々が一致するように制御基板４０を位置決めした状態で、これら挿通孔４３、ビス孔５５、及び締結孔３６の各々に、制御基板４０の後面の側から金属製のビス４５（固定具）を締結することにより、制御基板４０、アース部材５０、及びバッテリーユニット３０が、互いに固定されている。これら３つの部材が、同じビス４５によって固定されているので、個別に固定するのに比べて、締結部位数が削減でき、これら部材４０，５０，３０の相対的な位置ずれが抑制できる。
【００６３】
図７に、制御基板４０に固定された状態のアース部材５０を示す。この状態において、各収容部用弾性片５２は、弾性変形して外郭部７１の外面に圧接している。そして、各フランジ片５４の鍔部５４ｂは、アース端子４２に面接触していることから、外郭部７１は、アース部材５０を介してアース端子４２と電気的に接続されている。アース部材５０は、アース端子４２を貫通した挿通孔４３に挿通されたビス４５で制御基板４０に固定されているので、アース端子４２と確実に接触させることができる。
【００６４】
各端子用弾性片５３もまた、弾性変形して各接続プラグ４１の外面に圧接しており、各接続プラグ４１の外郭部４１ａもアース部材５０を介してアース端子４２と電気的に接続されている。
【００６５】
各収容部用弾性片５２及び各端子用弾性片５３は、弾性力で接触する方向に付勢された状態で各外郭部７１，４１ａに接触しているので、部材の寸法誤差や取付精度のばらつきがあったとしても、確実に接触状態が確保でき、安定したアースが実現できる。
【００６６】
しかも、このカメラ１では、アース部材５０は、記憶媒体収容部７０等のアースを確保するためだけでなく、メモリーカードで発生する熱を、外装ケース１０の内部で効果的に拡散させる放熱構造を構成する熱伝達部材としても利用されている。
【００６７】
すなわち、図８に示すように、制御基板４０にビス止めされたアース部材５０は、記憶媒体収容部７０の外郭部７１とバッテリー収容部３０ａの隔壁３３（主壁対向部３３ａ）との間に挟み込まれた状態になっており、弾性変形して外郭部７１と隔壁３３の双方に圧接している。
【００６８】
基部５１は、そのほぼ全領域が隔壁３３と面接触しており、各収容部用弾性片５２も弾性変形して、外郭部７１に線接触ないし面接触によって圧接している。金属製の外郭部７１は熱を伝え易いため、メモリーカードで発生した熱は、外郭部７１を通じてその外側に比較的容易に放熱される。外郭部７１と隔壁３３とは僅かな隙間を隔てて対向しているため、外郭部７１から放熱される熱は隔壁３３に伝わり易くなっているうえに、その外郭部７１が金属製のアース部材５０を介して隔壁３３と接続されているため、メモリーカードで発生する熱は、外郭部７１やアース部材５０を介して容易に隔壁３３に伝えることができる。
【００６９】
隔壁３３は、外装ケース１０の内部に収容されている部材の中でも特に容量の大きなバッテリー収容部３０ａを構成しているため、隔壁３３を利用すれば、限られた外装ケース１０の内部に、別部材を設けることなく、充分に大きな面積を有する放熱部材を確保することができる。外郭部７１よりも面積の大きい隔壁３３に外郭部７１の全体を密接させ、その間にアース部材５０を挟み込んでこれら３３，７１に圧接させたことで、メモリーカードの熱を隔壁３３に効率よく伝えることができるので、簡単な構造でありながら、メモリーカードで発生する熱を効果的に放熱させることができる。面積の大きな隔壁３３を通じて熱を放熱させることができるので、熱が籠もり易い樹脂製の外装ケース１０の内部であっても、広い範囲に熱を拡散させることができる。従って、メモリーカードの周辺での局所的な温度上昇も抑制できる。
【００７０】
また、制御基板４０とバッテリー収容部３０ａとが前後方向に近接しているため、これら全体の前後幅は限界近くまで小さくなっている。その結果、バッテリー収容空間３１の前後幅をより大きくすることが可能になり、より大容量のバッテリーが収容可能となっている。隔壁３３もアース端子４２と接続された状態となり、隔壁３３のアースも確保できる利点もある。
【００７１】
更に、このカメラ１では、熱の拡散性をよりいっそう高めるために、収容部本体３２の周囲に配置されているグリップ取付金具６０も利用して放熱構造が構成されている。
【００７２】
具体的に、外装ケース１０の後部に配置される制御基板４０の前面４０ａには、記憶媒体収容部７０だけでなく熱を発生する部品や回路が配置され、また、外装ケース１０の後部左側には、メモリーカードと同等以上の熱発生源である撮像素子２１が存在しているため、外装ケース１０の後部に熱が籠もり易い傾向がある。
【００７３】
そして、このカメラ１のバッテリー収容部３０ａは、後側の部分のみが金属製の隔壁３３で構成され、上下左右や前側の部分は、樹脂製の収容部本体３２で構成されている。そのため、面積の大きな隔壁３３であっても、隔壁３３のみでは、主に、外装ケース１０の内部の後部側でしか熱が拡散できない状態になっている。
【００７４】
そこで、図３、図４、図８に示すように、熱伝導率に優れた柔軟な金属製の中継部材８０（例えば銅箔シート等）を用いて、隔壁３３の側壁被覆部３３ｂと、収容部本体３２の右側の側壁部３２ｂの近傍に位置しているグリップ取付金具６０の放熱壁部６０ａとを接続している。
【００７５】
グリップ取付金具６０の放熱壁部６０ａは、外装ケース１０の右側部に沿って拡がる大きな面積を有しているため、更にメモリーカードで発生する熱を効果的に放熱させることができる。そして、熱が籠もり易い樹脂製の外装ケース１０の後部ではなく、外装ケース１０の右側部の広い範囲に熱を拡散させることができるので、外装ケース１０の内部での局所的な温度上昇も更に抑制できる。
【００７６】
しかも、グリップ取付金具６０は、外装ケース１０の前部である主壁部３２ａの側に位置する取付壁部６０ｂを有しているので、外装ケース１０の内部のうち、発熱源が少なくて相対的に温度が低い傾向のある右前部にも熱を拡散させることができる。従って、外装ケース１０の内部での局所的な温度上昇をよりいっそう抑制できる。
【００７７】
このように、本実施形態のカメラ１によれば、新たな部材を組み込むことなく、アース部材５０等、既存の部材を利用した簡単な構造で、メモリーカードで発生する熱を、精密部品が密集した前後幅の狭い外装ケース１０の内部で効果的に放熱させることができ、しかも外装ケース１０の内部の広い領域に熱を拡散させることができるので、外装ケース１０が、熱の籠もり易い樹脂製であっても、高性能なメモリーカードを安定して使用することができる。
【００７８】
なお、本発明にかかる撮像装置は、上述した実施形態に限定されず、それ以外の種々の構成をも包含する。撮像装置は、デジタルカメラに限らない。デジタルビデオ等であってもよい。隔壁３３は、グリップ取付金具６０だけでなく、それ以外の金属部材とも中継部材８０で接続して放熱構造を構成してもよい。また、隔壁３３を、グリップ取付金具６０とは別の金属製の組付部材と接続して放熱構造を構成してもよい。
【符号の説明】
【００７９】
１  カメラ
２  カメラ本体
１０  外装ケース
２０  撮像ユニット
３０  バッテリーユニット
３０ａ  バッテリー収容部
３１  バッテリー収容空間
３３  隔壁
４０  制御基板
５０  アース部材
６０  グリップ取付金具
７０  記憶媒体収容部
７１  外郭部
８０  中継部材
【図１】
2018010183.tif 000003
【図２】
2018010183.tif 000004
【図３】
2018010183.tif 000005
【図４】
2018010183.tif 000006
【図５】
2018010183.tif 000007
【図６】
2018010183.tif 000008
【図７】
2018010183.tif 000009
【図８】
2018010183.tif 000010